(57)【特許請求の範囲】
【請求項１】
支持フレーム（２）と、この支持フレーム（２）の下面の前方に支持された適数個の前面フロート（３）と、前面フロート（３）の下面に支持されたスカート（４）と、支持フレーム（２）の下面の後方に支持された適数個の背面フロート（５）から構成され、
支持フレーム（２）は、平面前後位置で平行に配された左右方向の横杆（２Ａ、２Ａ）と、当該左右方向の横杆を前後方向をもって所定間隔で連結する連結杆（２Ｂ、２Ｂ、．．）と、連結杆（２Ｂ、２Ｂ、．．）の前方下面に下方に向け取付けられたバンド状の上方前面支持金物（２Ｃ、２Ｃ、．．）と、連結杆（２Ｂ、２Ｂ、．．）の後方下面に下方に向け取付けられたバンド状の上方背面支持金物（２Ｄ、２Ｄ、．．）と、連結杆（２Ｂ、２Ｂ、．．）の前方上面に上方に向け突設された逆Ｕ字状の環（２Ｅ、２Ｅ、．．）から構成され、
前面フロート（３）は、ケース（３Ａ）と浮力用部材（３Ｂ）から構成され、ケース（３Ａ）は、支持フレーム（２）における左右方向の横杆（２Ａ、２Ａ）と平行な所定寸法に構成された鋼製の横パイプ（３Ａ１）と、横パイプ（３Ａ１）の両端に形成されたフランジ（３Ａ１１）と、フランジにボルト（Ｂ）を利用して張設された蓋（３Ａ２）から構成され、浮力用部材（３Ｂ）は、発泡スチロールなどで構成され、ケース（３Ａ）内に充填され、
スカート（４）は、スカート用板（４Ａ）と下方前面支持金物（４Ｂ、４Ｂ）から構成され、スカート用板（４Ａ）は正面横長方形の鋼板で、左右辺の長さは前面フロート（３）のケース（３Ａ）の長さと対応し、縦辺の長さは所定長さに構成され、かつスカート用板（４Ａ）の外周などには補強枠（４Ａ１）が取付けられ、下方前面支持金物（４Ｂ、４Ｂ）は、スカート用板（４Ａ）の両端に上方に向けバンド状に構成され、下方前面支持金物（４Ｂ、４Ｂ）と上方前面支持金物（２Ｃ、２Ｃ）とは、前面フロート（３）を挟持した状態でボルト（Ｂ）を利用して連結され、
背面フロート（５）は、ケース（５Ａ）と、浮力用部材（５Ｂ）と、下方背面支持金物（５Ｃ、５Ｃ）から構成され、ケース（５Ａ）は、支持フレーム（２）における左右方向の横杆（２Ａ、２Ａ）と平行な所定寸法に構成された鋼製の横パイプ（５Ａ１）と、横パイプ（５Ａ１）の両端に形成されたフランジ（５Ａ１１）と、フランジにボルト（Ｂ）を利用して張設された蓋（５Ａ２）から構成され、浮力用部材（５Ｂ）は、発泡スチロールなどで構成され、ケース（５Ａ）内に充填され、下方背面支持金物（５Ｃ）は、上方に向け略Ｕ字状のバンド状に構成され、ケース（５Ａ）の両端に下方から嵌合され、下方背面支持金物（５Ｃ、５Ｃ）と上方背面支持金物（２Ｄ、２Ｄ）とは背面フロート（５）を挟持した状態でボルト（Ｂ）を利用して連結されていることを特徴とする鋼製浮き網場。
【発明の詳細な説明】
【０００１】
【発明の属する技術分野】
本発明は、ダムや発電用の取水口などに設置される発泡スチロールを利用した鋼製浮き網場に関するものである。
鋼製で出来た網場の内部に発泡スチロールを収納し、浮きの役目と流木等の塵芥を所定の区域内に流入させないようにしたものである。
また、鋼製の網場が、粗大流木の衝突あるいは腐食による亀裂により水が浸水しても、沈没せず浮かんでいるようにしたものである。
従来、鋼製網場は、亀裂・腐食等による水の浸水で、浮力よりも網場の重量が多大となり沈没し、網場の性能が失われると共に新しく作り直さなければならなかった。
【０００２】
【従来の技術】
従来、この種のものにあっては、下記のようなものになっている。
従来の鋼製網場は、水の浸水を防ぐため、溶接構造で真空状のタンクを用いていた。
【０００３】
【発明が解決しようとする課題】
従来の技術で述べたものにあっては、下記のような問題点を有していた。
従来の鋼製網場では、粗大流木の衝突によるタンクの溶接部分の亀裂、又は腐食・劣化によるタンク内の浸水が、重量の増加を招き、タンクの浮力の力よりも上回り水没してしまう。
ダムや発電用の取水口などでは、水面上の流木・浮遊塵芥等の侵入を防ぐため用いている鋼製網場が水没してしまえば、水面上の流木・浮遊塵芥等の流入を許してしまい、鋼製網場としての役割が果せない。
当初の機能を発揮するためには、付属部品を含めた一連分を製作・取替えをしなければならず、保守管理上経費がかかる。
【０００４】
本発明は、従来の技術の有するこのような問題点に鑑みなされたものであり、その目的とするところは、次のようなことのできるものを提供しようとするものである。
すなわち、本発明は、発泡スチロールを鋼製浮き網場に収納することにより、水の浸水等の重量増加に対しても浮力のほうが大きく、水面上に浮かんでいる構造とした。
そのため、亀裂・腐食等の不良部品の取替えにおいて、部品製作・部品交換が簡単なために保守管理がしやすい。
【０００５】
【課題を解決するための手段】
上記目的を達成するために、本発明のものは下記のようになるものである。
【０００６】
本発明は、支持フレーム２と、この支持フレーム２の下面の前方に支持された適数個の前面フロート３と、前面フロート３の下面に支持されたスカート４と、支持フレーム２の下面の後方に支持された適数個の背面フロート５から構成され、
Ａ．支持フレーム２は、平面前後位置で平行に配された左右方向の横杆２Ａ、２Ａと、当該左右方向の横杆を前後方向をもって所定間隔で連結する連結杆２Ｂ、２Ｂ、．．と、連結杆２Ｂ、２Ｂ、．．の前方下面に下方に向け取付けられたバンド状の上方前面支持金物２Ｃ、２Ｃ、．．と、連結杆２Ｂ、２Ｂ、．．の後方下面に下方に向け取付けられたバンド状の上方背面支持金物２Ｄ、２Ｄ、．．と、連結杆２Ｂ、２Ｂ、．．の前方上面に上方に向け突設された逆Ｕ字状の環２Ｅ、２Ｅ、．．から構成され、
Ｂ．前面フロート３は、ケース３Ａと浮力用部材３Ｂから構成され、ケース３Ａは、支持フレーム２における左右方向の横杆２Ａ、２Ａと平行な所定寸法に構成された鋼製の横パイプ３Ａ１と、横パイプ３Ａ１の両端に形成されたフランジ３Ａ１１と、フランジにボルトＢを利用して張設された蓋３Ａ２から構成され、浮力用部材３Ｂは、発泡スチロールなどで構成され、ケース３Ａ内に充填され、
Ｃ．スカート４は、スカート用板４Ａと下方前面支持金物４Ｂ、４Ｂから構成され、スカート用板４Ａは正面横長方形の鋼板で、左右辺の長さは前面フロート３のケース３Ａの長さと対応し、縦辺の長さは所定長さに構成され、かつスカート用板４Ａの外周などには補強枠４Ａ１が取付けられ、下方前面支持金物４Ｂ、４Ｂは、スカート用板４Ａの両端に上方に向けバンド状に構成され、下方前面支持金物４Ｂ、４Ｂと上方前面支持金物２Ｃ、２Ｃとは、前面フロート３を挟持した状態でボルトＢを利用して連結され、
Ｄ．背面フロート５は、ケース５Ａと、浮力用部材５Ｂと、下方背面支持金物５Ｃ、５Ｃから構成され、ケース５Ａは、支持フレーム２における左右方向の横杆２Ａ、２Ａと平行な所定寸法に構成された鋼製の横パイプ５Ａ１と、横パイプ５Ａ１の両端に形成されたフランジ５Ａ１１と、フランジにボルトＢを利用して張設された蓋５Ａ２から構成され、浮力用部材５Ｂは、発泡スチロールなどで構成され、ケース５Ａ内に充填され、下方背面支持金物５Ｃは、上方に向け略Ｕ字状のバンド状に構成され、ケース５Ａの両端に下方から嵌合され、下方背面支持金物５Ｃ、５Ｃと上方背面支持金物２Ｄ、２Ｄとは背面フロート５を挟持した状態でボルトＢを利用して連結されている鋼製浮き網場である。
【０００７】
【発明の実施の形態】
実施の形態について図面を参照して説明する。
１は本発明の鋼製浮き網場で、支持フレーム２と、この支持フレーム２の下面の前方に支持された適数個の前面フロート３と、前面フロート３の下面に支持されたスカート４と、支持フレーム２の下面の後方に支持された適数個の背面フロート５から構成されている。
【０００８】
Ａ．支持フレーム２は、平面前後位置で平行に配された左右方向の横杆２Ａ、２Ａと、当該左右方向の横杆を前後方向をもって所定間隔で連結する連結杆２Ｂ、２Ｂ、．．と、連結杆２Ｂ、２Ｂ、．．の前方下面に下方に向け取付けられたバンド状の上方前面支持金物２Ｃ、２Ｃ、．．と、連結杆２Ｂ、２Ｂ、．．の後方下面に下方に向け取付けられたバンド状の上方背面支持金物２Ｄ、２Ｄ、．．と、連結杆２Ｂ、２Ｂ、．．の前方上面に上方に向け突設された逆Ｕ字状の環２Ｅ、２Ｅ、．．から構成されている。
【０００９】
Ｂ．前面フロート３は、ケース３Ａと浮力用部材３Ｂから構成されている。
ａ．ケース３Ａは、支持フレーム２における左右方向の横杆２Ａ、２Ａと平行な所定寸法に構成された鋼製の横パイプ３Ａ１と、横パイプ３Ａ１の両端に形成されたフランジ３Ａ１１と、フランジにボルトＢを利用して張設された蓋３Ａ２から構成されている。
ｂ．浮力用部材３Ｂは、発泡スチロールなどで構成され、ケース３Ａ内に充填されている。
【００１０】
Ｃ．スカート４は、スカート用板４Ａと下方前面支持金物４Ｂ、４Ｂから構成されている。
ａ．スカート用板４Ａは正面横長方形の鋼板で、左右辺の長さは前面フロート３のケース３Ａの長さと対応し、縦辺の長さは所定長さに構成され、かつスカート用板４Ａの外周などには補強枠４Ａ１が取付けられている。
ｂ．下方前面支持金物４Ｂ、４Ｂは、スカート用板４Ａの両端に上方に向けバンド状に構成されている。
ｃ．そこで、下方前面支持金物４Ｂ、４Ｂと上方前面支持金物２Ｃ、２Ｃとは、前面フロート３を挟持した状態でボルトＢを利用して連結されている。
【００１１】
Ｄ．背面フロート５は、ケース５Ａと、浮力用部材５Ｂと、下方背面支持金物５Ｃ、５Ｃから構成されている。
ａ．ケース５Ａは、支持フレーム２における左右方向の横杆２Ａ、２Ａと平行な所定寸法に構成された鋼製の横パイプ５Ａ１と、横パイプ５Ａ１の両端に形成されたフランジ５Ａ１１と、フランジにボルトＢを利用して張設された蓋５Ａ２から構成されている。
ｂ．浮力用部材５Ｂは、発泡スチロールなどで構成され、ケース５Ａ内に充填されている。
ｃ．下方背面支持金物５Ｃは、上方に向け略Ｕ字状のバンド状に構成され、ケース５Ａの両端に下方から嵌合されている。
ｄ．そこで、下方背面支持金物５Ｃ、５Ｃと上方背面支持金物２Ｄ、２Ｄとは背面フロート５を挟持した状態でボルトＢを利用して連結されている。
図中、Ｒはロープである。
【００１２】
【発明の効果】
本発明は、上述の通り構成されているので次に記載する効果を奏する。
本発明は、発泡スチロールを鋼製浮き網場の内部に挿入することにより、鋼製浮き網場のフロート内の水の浸水による重量増加に対しても十分な浮力がみこまれ、水没することがない。
すなわち、鋼製浮き網場としての、流木による衝突時の強度を始めとして、流木・浮遊塵芥等の流入を防ぐ機能が失われないばかりでなく、溶接の構造と、ボルト・ナットによる組み合わせが可能であり、部品の腐食・劣化に対応しての製作・取替えが最小単位で可能であり、保守管理面の経費の削減につながることになる。
このほか、安価に製造できる、部品点数が少ないので組立が容易である、経済的である、などの効果をも有するものである。
【図面の簡単な説明】
【図１】全体の斜視図である。
【図２】同上の要部拡大図である。
【図３】川上側から見た斜視図である。
【図４】ダム側から見た斜視図である。
【図５】分解斜視図である。
【図６】拡大縦断面図である。
【符号の説明】
１  鋼製浮き網場                  ２  支持フレーム
３  前面フロート                  ４  スカート
５  背面フロート
【図１】
0003611775.tif 000002
【図２】
0003611775.tif 000003
【図３】
0003611775.tif 000004
【図４】
0003611775.tif 000005
【図５】
0003611775.tif 000006
【図６】
0003611775.tif 000007